(57)【要約】【課題】幅の大きなロール体であっても、自重で撓むことなく支持することができるロール体支持装置を提供する。【解決手段】繰出部４０、巻取部８０は、ロール体Ｒを回転可能に支持するロール体支持装置であって、ロール体Ｒの芯管Ｓに挿入される軸部材４１と、軸部材４１の外周に固定される軸外周部材４２１と、芯管Ｓに内接し嵌合する芯管支持部材４２２と、軸外周部材４２１と芯管支持部材４２２とを連結し、芯管支持部材４２２を軸外周部材４２１に対して軸部材４１の周りに回転可能に支持する回転支持部４２３と、を備える。【選択図】図５
2019001587.tif 000002
【特許請求の範囲】
【請求項１】
ロール体を回転可能に支持するロール体支持装置であって、
前記ロール体の芯管に挿入される軸部材と、
前記軸部材の外周に固定される軸外周部材と、
前記芯管に内接し嵌合する芯管支持部材と、
前記軸外周部材と前記芯管支持部材とを連結し、前記芯管支持部材を前記軸外周部材に対して前記軸部材の周りに回転可能に支持する回転支持部と、を備えることを特徴とするロール体支持装置。
【請求項２】
前記軸部材に対する前記軸外周部材の固定位置が変更可能であることを特徴とする請求項１に記載のロール体支持装置。
【請求項３】
前記芯管支持部材を前記軸外周部材に対して前記軸部材の周りに回転させる回転駆動部を備えることを特徴とする請求項１または請求項２に記載のロール体支持装置。
【請求項４】
前記軸部材が角柱であることを特徴とする請求項１から請求項３のいずれか一項に記載のロール体支持装置。
【請求項５】
前記軸部材を支持する軸支持部が、前記軸部材を固定支持するＶブロックを含み構成されていることを特徴とする請求項４に記載のロール体支持装置。
【請求項６】
１つの前記軸部材に対して、前記軸外周部材と、前記芯管支持部材と、前記回転支持部と、を含む支持機構を少なくとも５つ備えることを特徴とする請求項１から請求項５のいずれか一項に記載のロール体支持装置。
【請求項７】
印刷媒体をロール状に巻き重ねたロール体を回転可能に支持する請求項１から請求項６のいずれか一項に記載のロール体支持装置と、
前記印刷媒体を搬送する搬送部と、
前記印刷媒体に印刷する印刷部と、を備えることを特徴とする印刷装置。
【発明の詳細な説明】
【技術分野】
【０００１】
本発明は、ロール体支持装置および該装置を備える印刷装置に関する。
【背景技術】
【０００２】
ロール体支持装置として、例えば、特許文献１には、ロール体の芯口に嵌合する嵌合部によってロール体の両端を支持し、繰り出し可能に保持するロールホルダーを備えたロール媒体繰り出し装置が記載されている。ロールホルダーが有する嵌合部は、異なるサイズのロール体にスムーズにはめ込むことが可能な形状に構成されている。
【先行技術文献】
【特許文献】
【０００３】
【特許文献１】特開２０１３−４７１３９号公報
【発明の概要】
【発明が解決しようとする課題】
【０００４】
しかしながら、特許文献１に記載のロール媒体繰り出し装置では、ロール体の芯口に嵌合する嵌合部によってロール体の両端を支持する構成であるため、幅の大きなロール体を支持する場合に、ロール体の中央部が自重により撓んでしまい、ロール体の繰り出しがスムーズに行われなくなってしまう場合があるという課題があった。また、ロール体を処理する装置において、複数のロール体を同時にセットし、個別に繰り出しができるように構成する場合に、特許文献１に記載のロール媒体繰り出し装置では、それぞれのロール体を両端から保持するロールホルダーを、それぞれのロール体毎に個別に備える必要があるため、装置が大型化してしまうという課題もあった。
【課題を解決するための手段】
【０００５】
本発明は、上述の課題の少なくとも一部を解決するためになされたものであり、以下の適用例または形態として実現することが可能である。
【０００６】
［適用例１］  本適用例に係るロール体支持装置は、ロール体を回転可能に支持するロール体支持装置であって、前記ロール体の芯管に挿入される軸部材と、前記軸部材の外周に固定される軸外周部材と、前記芯管に内接し嵌合する芯管支持部材と、前記軸外周部材と前記芯管支持部材とを連結し、前記芯管支持部材を前記軸外周部材に対して前記軸部材の周りに回転可能に支持する回転支持部と、を備えることを特徴とする。
【０００７】
本適用例によれば、ロール体は、ロール体の芯管に挿入される軸部材を基軸として、軸外周部材と芯管支持部材と回転支持部とによって回転可能に支持される。すなわち、ロール体を構成するロール材料が、繰り出し可能に、また巻き取り可能に支持される。また、軸外周部材、芯管支持部材、および回転支持部は、軸部材を基軸としてロール体の芯管内に設けることができるため、幅の大きなロール体を支持する場合であっても、ロール体の自重により撓んでしまう領域を、芯管内から支えるように配置することができる。その結果、幅の大きなロール体を支持する場合であっても、ロール体が撓んでしまうことが抑制され、ロール体の繰り出しや巻き取りがスムーズに行えるようになる。
【０００８】
［適用例２］  上記適用例に係るロール体支持装置において、前記軸部材に対する前記軸外周部材の固定位置が変更可能であることを特徴とする。
【０００９】
本適用例によれば、軸外周部材、芯管支持部材、および回転支持部は、軸部材を基軸としてロール体の芯管内に設けることができ、また、これらの位置を決める軸外周部材の軸部材に対する固定位置が変更可能である。そのため、サイズ（幅）の異なる様々なロール体に合わせて、それぞれを最適な位置で支持するように設けることができる。例えば、幅の大きなロール体の場合には、その両端領域と、芯管内部を幅方向に略等間隔に分ける領域に複数設置することができる。その結果、幅の大きなロール体を支持する場合であっても、ロール体が撓んでしまうことが抑制され、ロール体の繰り出しや巻き取りがスムーズに行えるようになる。
【００１０】
［適用例３］  上記適用例に係るロール体支持装置において、前記芯管支持部材を前記軸外周部材に対して前記軸部材の周りに回転させる回転駆動部を備えることを特徴とする。
【００１１】
本適用例によれば、芯管支持部材を回転させる回転駆動部を備えるため、ロール体の繰り出しや巻き取りをよりスムーズに行うことができる。
【００１２】
［適用例４］  上記適用例に係るロール体支持装置において、前記軸部材が角柱であることを特徴とする。
【００１３】
本適用例によれば、芯管支持部材を軸外周部材に対して軸部材の周りに回転可能に支持する回転支持部を備えており、軸部材を回転するように構成する必要がないため、軸部材を角柱で構成することに対して支障が無い。軸部材を角柱で構成することにより、軸部材を固定支持するための構成をより簡便にすることができる。
【００１４】
［適用例５］  上記適用例に係るロール体支持装置において、前記軸部材を支持する軸支持部が、前記軸部材を固定支持するＶブロックを含み構成されていることを特徴とする。
【００１５】
本適用例によれば、軸部材が角柱で構成され、軸部材を支持する軸支持部が、軸部材を固定支持するＶブロックを含み構成されている。軸部材（角柱）をＶブロックで鉛直下方から支持する構成とすることにより、ロール体を含む各部材（軸部材、軸外周部材、芯管支持部材、および回転支持部）の自重により軸部材がＶブロックに固定される（位置決めされる）ため、例えば、Ｖブロック上に軸部材（角柱）を置くだけでも良いなど、軸部材を固定支持するための構成をより簡便にすることができる。
【００１６】
［適用例６］  上記適用例に係るロール体支持装置において、１つの前記軸部材に対して、前記軸外周部材と、前記芯管支持部材と、前記回転支持部と、を含む支持機構を少なくとも５つ備えることを特徴とする。
【００１７】
本適用例によれば、１つの軸部材に、軸外周部材と芯管支持部材と回転支持部とを含む支持機構のセットを５つ（５セット）備えることにより、１つの軸部材に、２つのロール体を簡便にセットすることができる。また、それぞれのロール体は、軸部材に対して独立して回転ができるように支持されるため、それぞれのロール体のロール径が異なる場合であっても、１つの軸部材において回転速度を異ならせることができ、同じ繰り出し速度や巻き取り速度で回転させることに対して支障が無い。
また、１つの軸部材に２つのロール体をセットする場合、支持機構のセットを５セット以上備えることにより、少なくとも一方のロール体については、ロール体の両端領域以外の領域を芯管の内部から軸部材を基軸として支える位置にも支持機構をセットすることができる。そのため、一方のロール体が幅の大きなロール体であっても、ロール体が撓んでしまうことが抑制され、ロール体の繰り出しや巻き取りがスムーズに行えるようになる。
【００１８】
［適用例７］  本適用例に係る印刷装置は、印刷媒体をロール状に巻き重ねたロール体を回転可能に支持する上記適用例に係るロール体支持装置と、前記印刷媒体を搬送する搬送部と、前記印刷媒体に印刷する印刷部と、を備えることを特徴とする。
【００１９】
本適用例によれば、ロール状に巻き重ねた印刷媒体に印刷する印刷装置において、上記適用例に係るロール体支持装置を備えるため、幅の大きなロール体であっても、ロール体が撓んでしまうことなく、ロール体の繰り出しや巻き取りがスムーズに行われる。また、複数のロール体を１つの軸部材にセットすることができるため、複数のロール体に対して印刷を行う印刷装置をよりコンパクトに構成することができる。
【図面の簡単な説明】
【００２０】
【図１】実施形態１に係る印刷装置の構成を示す斜視図
【図２】印刷装置を側面から見た概念図
【図３】実施形態１に係る繰出部（ロール体支持装置）の構成を示す背面図
【図４】実施形態１に係る巻取部（ロール体支持装置）の構成を示す正面図
【図５】支持機構の構成を示す断面図
【図６】支持機構の構成を示す平面図
【図７】支持機構の構成を示す断面図
【図８】変形例１に係る支持機構の構成を示す平面図
【図９】変形例１に係る軸支持部の構成を示す平面図
【発明を実施するための形態】
【００２１】
以下に本発明を具体化した実施形態について、図面を参照して説明する。以下は、本発明の一実施形態であって、本発明を限定するものではない。なお、以下の各図においては、説明を分かりやすくするため、実際とは異なる尺度で記載している場合がある。また、図面に付記する座標においては、Ｚ軸方向が上下方向、＋Ｚ方向が上方向、Ｙ軸方向が前後方向、＋Ｙ方向が手前方向、Ｘ軸方向が左右方向、＋Ｘ方向が左方向、Ｘ−Ｙ平面が水平面としている。
【００２２】
（実施形態１）
図１は、実施形態１に係る印刷装置１０の構成を示す斜視図、図２は、印刷装置１０を側面から見た概念図である。
印刷装置１０は、「印刷媒体」として、ロール状に巻かれた状態（ロール体）で供給される長尺状のロール紙Ｍに所望の画像を印刷するインクジェットプリンターである。
印刷装置１０は、図２に示すように、ロール紙Ｍの搬送方向Ａに沿って、ロール体Ｒａに巻き重ねたロール紙Ｍを繰り出す繰出部４０と、繰り出されたロール紙Ｍを支持する媒体支持部５０と、ロール紙Ｍに搬送力を付与して搬送する搬送部６０と、ロール紙Ｍに印刷を行う印刷部７０と、印刷が完了したロール紙Ｍをロール体Ｒｂに巻き取る巻取部８０と、を備えている。さらに、印刷装置１０は、ユーザー（印刷装置１０のオペレーター）によって操作される操作部９０と、印刷装置１０を統括的に制御する制御部１００と、を備えている。これらは、箱状の筐体２０と、筐体２０を支持する筐体支持部３０などにより１台の装置として構成されている。
なお、繰出部４０および巻取部８０は、本願発明における「ロール体支持装置」である。
【００２３】
図１および図２に示すように、筐体支持部３０は、Ｙ軸方向を長手方向とする第１脚部３１と、第１脚部３１から上方に延設された第２脚部３２と、第２脚部３２をＸ軸方向において連結する連結軸３３と、第２脚部３２から後方（−Ｙ方向）に延設された延設部３４と、を有している。第１脚部３１および第２脚部３２は、Ｘ軸方向において対を成すように設けられている。また、第２脚部３２は、第１脚部３１と連結される下端部とは反対側の上端部が筐体２０と連結されている。
【００２４】
図３は、繰出部４０を印刷装置１０の背面（−Ｙ側）から見た、繰出部４０の構成を示す背面図である。
図２および図３に示すように、繰出部４０は、筐体２０の後方下側において、筐体支持部３０の延設部３４に支持され、ロール紙Ｍが搬送される搬送経路においては、搬送部６０および印刷部７０より上流側の位置に設けられている。
繰出部４０は、軸部材４１、支持機構４２（支持機構４２ａ，４２ｂ）、回転駆動部４３、軸支持部４４、案内軸４５、などから構成されている。
【００２５】
軸部材４１は、ロール紙Ｍを円筒状に巻き重ねた複数のロール体Ｒａ（図３に示す例では、ロール体Ｒａ１，Ｒａ２の２つ）の芯管Ｓに挿入される丸棒である。ロール体Ｒａは、軸部材４１を基軸として、支持機構４２（支持機構４２ａ，４２ｂ）によって回転可能に（すなわち、ロール体Ｒａを構成するロール紙Ｍが繰り出し可能に）支持される。
【００２６】
図４は、巻取部８０を印刷装置１０の正面（＋Ｙ側）から見た、巻取部８０の構成を示す正面図である。
図２および図４に示すように、巻取部８０は、筐体２０の前方下側において、筐体支持部３０の第１脚部３１に支持され、ロール紙Ｍが搬送される搬送経路においては、搬送部６０および印刷部７０より下流側の位置に設けられている。
巻取部８０は、繰出部４０と同様に、軸部材４１、支持機構４２（支持機構４２ａ，４２ｂ）、回転駆動部４３、軸支持部４４、案内軸４５、などから構成されている。
巻取部８０は、ロール体Ｒａ１，Ｒａ２から繰り出され、印刷が行われたロール紙Ｍをロール体Ｒｂ１，Ｒｂ２として円筒状に巻き取る。
【００２７】
図５は、支持機構４２ａの構成を示す断面図、図６は、同平面図である。図５に示す支持機構４２ａは、ロール体Ｒａ２の＋Ｘ側の端部（図３参照）においてロール体Ｒａ２の芯管Ｓに＋Ｘ側から装着された支持機構４２ａであり、支持機構４２ａを−Ｙ側から見た様子を示している。また図６は、この支持機構４２ａを＋Ｘ側から見た様子を示している。
支持機構４２ａは、ロール体Ｒａの両端部を、対になって支持する支持機構であり、軸外周部材４２１、芯管支持部材４２２ａ、回転支持部４２３などから構成されている。
なお、支持機構４２（支持機構４２ａ，４２ｂ）の説明を、ロール体Ｒａの芯管Ｓに対する説明として行うが、芯管Ｓは、ロール体Ｒａおよびロール体Ｒｂで共通の芯管であるため、支持機構４２（支持機構４２ａ，４２ｂ）の構成および機能は、ロール体Ｒｂに対しても同様である。また、ロール体Ｒａ１，Ｒａ２，Ｒｂ１，Ｒｂ２を総称してロール体Ｒと言う。
【００２８】
軸外周部材４２１は、回転支持部４２３を連結し、軸部材４１に取り付けるための環状部材であり、軸部材４１を内接し、ねじにより締め込むことで軸部材４１の外周に固定される抱き締め機構４２１１を備えている。つまり、軸部材４１に対する軸外周部材４２１の固定位置が変更可能である。
【００２９】
芯管支持部材４２２ａは、ロール体Ｒａの両端部においてロール体Ｒａの芯管Ｓに内接し嵌合する環状部材であり、その内周に回転支持部４２３を連結させている。芯管支持部材４２２ａには、ロール体Ｒａの芯管Ｓをその両端側から対を成して挟持し、ロール体ＲａがＸ軸方向に移動してしまうのを防ぐためのフランジ４２２１が設けられている。
フランジ４２２１は、その外径がロール体Ｒａの芯管Ｓの外径を上回るように形成されており、＋Ｘ側の側面外周上にラック４２２２（歯）が放射状に形成されている。
【００３０】
回転支持部４２３は、ボール４２３１、内輪４２３２、外輪４２３３などから構成されるボールベアリングであり、内輪４２３２が軸外周部材４２１に連結（固定）され、外輪４２３３が、芯管支持部材４２２ａに連結（固定）されている。つまり、回転支持部４２３は、軸外周部材４２１と芯管支持部材４２２ａとを連結し、芯管支持部材４２２ａを軸外周部材４２１に対して軸部材４１の周りに回転可能に支持する。
【００３１】
回転駆動部４３は、芯管支持部材４２２ａを軸外周部材４２１に対して軸部材４１の周りに回転させる駆動部であり、ロール体Ｒａを支持する１対の支持機構４２ａの一方の側に設けられている。回転駆動部４３は、歯車４３１、歯車４３１を回転駆動するモーター４３２などにより構成されている。
歯車４３１は、フランジ４２２１に形成されているラック４２２２（歯）に噛み合うように配置され、モーター４３２を回転駆動することにより、芯管支持部材４２２ａを（つまりは、ロール体Ｒａを）軸外周部材４２１に対して軸部材４１の周りに回転させることができる。モーター４３２の回転駆動は、制御部１００（図２参照）の制御によって行われる。
【００３２】
軸支持部４４は、軸部材４１の両端部領域を支持する支持ブロックであり、図１〜図４に示すように、案内軸４５に支持され、案内軸４５に対して摺動し、案内軸４５の延在方向に移動可能に構成されている。また、軸支持部４４は、軸支持部４４の摺動を許容したり制限したりする固定ねじ（図示省略）を有している。
回転駆動部４３は、軸支持部４４に支持されるように設けられており、軸支持部４４を移動させることで、サイズ（幅）の異なる様々なロール紙Ｍ（ロール体Ｒａ，Ｒｂ）に対応させることができる。
【００３３】
また、軸支持部４４は、繰出部４０におけるロール体Ｒａのセットやロール紙Ｍの繰り出しが完了した芯管Ｓの取外し、および巻取部８０におけるロール紙Ｍを巻き取るための芯管Ｓのセットや巻き取りが完了したロール体Ｒｂの取外しを容易とするために、軸部材４１の着脱を簡便に行うことができる構成としている。具体的には、例えば、図１、図２に示すように、軸支持部４４を上ブロック４４１と下ブロック４４２とに分けて構成し、軸部材４１を、下ブロック４４２に固定可能な上ブロック４４１と下ブロック４４２とによって上下から挟持し、固定できるように構成している。案内軸４５に支持される下ブロック４４２に対して、上ブロック４４１を着脱することにより軸部材４１の着脱を行うことができる。
【００３４】
繰出部４０において、案内軸４５は、図２、図３に示すように、その両端領域を筐体支持部３０の延設部３４に支持され、Ｘ軸方向に延在するように２本設けられている。
また、巻取部８０においては、案内軸４５は、図２、図４に示すように、その両端領域を筐体支持部３０の第１脚部３１に支持され、Ｘ軸方向に延在するように２本設けられている。
【００３５】
図７は、支持機構４２ｂの構成を示す断面図であり、図５と同様に、支持機構４２ｂを−Ｙ側から見た様子を示している。
支持機構４２ｂは、ロール体Ｒａを芯管Ｓの内部から支持する支持機構であり、軸外周部材４２１、芯管支持部材４２２ｂ、回転支持部４２３などから構成されている。
芯管支持部材４２２ｂは、芯管支持部材４２２ａと異なり、フランジ４２２１が設けられていない。つまり、芯管支持部材４２２ｂの外径は、ロール体Ｒａの芯管Ｓの内径と同じか、やや小さく、芯管支持部材４２２ｂがロール体Ｒａの芯管Ｓの内部に入るように構成されている。この点を除き、支持機構４２ｂの構成は、支持機構４２ａと同じである。換言すると、芯管支持部材４２２ａは、芯管支持部材４２２ｂとフランジ４２２１とで構成されている。
なお、支持機構４２ａ，４２ｂを総称して支持機構４２と言う。また、芯管支持部材４２２ａ，４２２ｂを総称して芯管支持部材４２２と言う。
【００３６】
また、繰出部４０および巻取部８０は、それぞれ、１つの軸部材４１に対して、軸外周部材４２１と、芯管支持部材４２２（芯管支持部材４２２ａ，４２２ｂ）と、回転支持部４２３と、を含む支持機構４２（支持機構４２ａ，４２ｂ）を少なくとも５つ備えている。例えば、図３、図４に示す例では、支持機構４２（支持機構４２ａ，４２ｂ）をそれぞれ７つ備えており、ロール体Ｒａ，Ｒｂの両端を支持するそれぞれ２つの支持機構４２ａの他に、ロール体Ｒａ，Ｒｂの芯管Ｓの内部から支持する支持機構４２ｂを１つ、ないしは２つ備えている。
【００３７】
なお、ロール体を１つだけセットする場合には、１対の支持機構４２ａの他に、ロール体の幅に合わせて必要充分な数の支持機構４２ｂをロール体の芯管Ｓの内部に、略等間隔で設ける。
【００３８】
媒体支持部５０は、図２に示すように、筐体２０の後方下側から筐体２０の内部に向かうように形成される第１媒体支持部５１と、筐体２０の内部において前方に向かうように形成される第２媒体支持部５２と、筐体２０から当該筐体２０の前方下側に向かうように形成される第３媒体支持部５３とを有している。こうして、媒体支持部５０は、繰出部４０から繰り出されたロール紙Ｍを巻取部８０に向かって案内する搬送経路を形成するとともに、当該ロール紙Ｍを支持する。
なお、印刷装置１０の印刷方法に応じて、印刷前後にロール紙Ｍを加熱する必要がある場合（例えば、印刷が完了したロール紙Ｍを巻取部８０に巻き取る前に必要充分なレベルまで乾燥させる場合など）には、媒体支持部５０の内部にロール紙Ｍを加熱するためのヒーターを内蔵させてもよい。
【００３９】
搬送部６０は、図２に示すように、ロール紙Ｍの裏面に接触しつつ回転する駆動ローラー６１と、ロール紙Ｍの表面に接触しつつ回転する従動ローラー６２と、を備えている。搬送部６０は、駆動ローラー６１と従動ローラー６２とでロール紙Ｍを挟持させた状態で、駆動ローラー６１を駆動させることで、ロール紙Ｍに搬送力を付与し、繰出部４０から繰り出されたロール紙Ｍを搬送方向Ａに向かって搬送する。なお、以降の説明では、搬送部６０がロール紙Ｍを搬送方向Ａに所定量だけ搬送することを「搬送動作」とも言う。また、搬送動作が行われる際には、制御部１００の制御により、繰出部４０によるロール紙Ｍの繰り出しと、巻取部８０によるロール紙Ｍの巻き取りとが略同時に行われる。
【００４０】
印刷部７０は、図１、図２に示すように、インクを吐出する印刷ヘッド７１と、印刷ヘッド７１を保持（搭載）するキャリッジ７２と、キャリッジ７２を支持するＸ軸方向を長手方向とするガイド軸７３と、を備えている。印刷部７０は、制御部１００の制御に基づき、キャリッジ７２をガイド軸７３の延在方向（Ｘ軸方向）に移動させつつ、印刷ヘッド７１からロール紙Ｍに向けてインクを吐出させる「吐出動作」を行うことで１走査分（１パス分）の印刷を行う。
【００４１】
また、図１および図２に示すように、巻取部８０は、ロール体Ｒｂにロール紙Ｍを巻き取る際に搬送経路において当該ロール紙Ｍをガイドするガイドバー８７を備えている。ガイドバー８７は、ロール紙Ｍの幅方向に亘って支えられるようにＸ軸方向に延在している。
また、図１および図２に示すように、操作部９０は、印刷装置１０の上面に設けられている。操作部９０は、印刷装置１０の各種の設定を行う場合や、印刷装置１０に対して印刷の実行を指示する場合に、ユーザーによって操作される。このため、操作部９０は、例えば、複数のボタンや液晶ディスプレイなどを有していることが望ましい。
【００４２】
制御部１００は、ＣＰＵ、記憶媒体（ＲＯＭおよびＲＡＭなどのメモリー）などを有するいわゆるマイクロコンピューターである。制御部１００は、例えば、印刷装置１０に対して投入された印刷ジョブに基づいて、各構成の駆動を制御することで、搬送動作と吐出動作とを交互に行わせ、ロール紙Ｍに印刷を行う。
【００４３】
本実施形態において、ロール体Ｒａ１から繰り出されるロール紙Ｍ１とロール体Ｒａ２から繰り出されるロール紙Ｍ２の２つのロール紙Ｍに対して並行して印刷を行う場合の搬送動作では、搬送部６０が、２つのロール紙Ｍ１，Ｍ２に対して同様に作動する。また、２つのロール紙Ｍ１，Ｍ２に対して並行して印刷を行う場合の吐出動作では、キャリッジ７２が、２つのロール紙Ｍ１，Ｍ２の幅方向（Ｘ軸方向）に亘って横切るように移動し、キャリッジ７２に搭載される印刷ヘッド７１から、２つのロール紙Ｍ１，Ｍ２に対してインクが吐出される。
すなわち、搬送部６０は、複数のロール紙Ｍ（ロール紙Ｍ１，Ｍ２）を並べて搬送する共通の搬送ローラー（駆動ローラー６１および従動ローラー６２）を有し、印刷部７０は、複数のロール紙Ｍに印刷する共通の印刷ヘッド７１を有している。
【００４４】
以上述べたように、本実施形態によるロール体支持装置および印刷装置によれば、以下の効果を得ることができる。
ロール体Ｒは、ロール体Ｒの芯管Ｓに挿入される軸部材４１を基軸として、軸外周部材４２１と芯管支持部材４２２と回転支持部４２３とによって回転可能に支持される。すなわち、ロール体Ｒを構成するロール紙Ｍが、繰り出し可能に、また巻き取り可能に支持される。また、軸外周部材４２１、芯管支持部材４２２ｂ、回転支持部４２３などから構成される支持機構４２ｂは、軸部材４１を基軸としてロール体Ｒの芯管Ｓ内に設けることができるため、幅の大きなロール体Ｒを支持する場合であっても、ロール体Ｒの自重により撓んでしまう領域を、芯管Ｓ内から支えるように配置することができる。その結果、幅の大きなロール体Ｒを支持する場合であっても、ロール体Ｒが撓んでしまうことが抑制され、ロール体Ｒの繰り出しや巻き取りがスムーズに行えるようになる。
【００４５】
また、軸外周部材４２１、芯管支持部材４２２ｂ、回転支持部４２３などから構成される支持機構４２ｂは、軸部材４１を基軸としてロール体Ｒの芯管Ｓ内に設けることができ、また、これらの位置を決める軸外周部材４２１の軸部材４１に対する固定位置が変更可能である。そのため、サイズ（幅）の異なる様々なロール体Ｒに合わせて、それぞれを最適な位置で支持するように設けることができる。例えば、幅の大きなロール体Ｒの場合には、その両端領域に軸外周部材４２１、芯管支持部材４２２ａ（フランジ４２２１を備える芯管支持部材４２２ｂ）、回転支持部４２３などから構成される支持機構４２ａ（フランジ４２２１を備える支持機構４２ｂ）を配置し、芯管Ｓの内部には、軸外周部材４２１、芯管支持部材４２２ｂ、回転支持部４２３などから構成される支持機構４２ｂを、芯管Ｓ内部を幅方向に略等間隔に分ける領域に複数設置することができる。その結果、幅の大きなロール体Ｒを支持する場合であっても、ロール体Ｒが撓んでしまうことが抑制され、ロール体Ｒの繰り出しや巻き取りがスムーズに行えるようになる。
【００４６】
また、芯管支持部材４２２を回転させる回転駆動部４３を備えるため、ロール体Ｒの繰り出しや巻き取りをよりスムーズに行うことができる。
【００４７】
また、１つの軸部材４１に、軸外周部材４２１と芯管支持部材４２２と回転支持部４２３とを含む支持機構４２のセットを５つ（５セット）備えることにより、１つの軸部材４１に、２つのロール体Ｒを簡便にセットすることができる。また、それぞれのロール体Ｒは、軸部材４１に対して独立して回転ができるように支持されるため、それぞれのロール体Ｒのロール径が異なる場合であっても、１つの軸部材４１において回転速度を異ならせることができ、同じ繰り出し速度や巻き取り速度で回転させることに対して支障が無い。
【００４８】
また、１つの軸部材４１に２つのロール体Ｒをセットする場合、支持機構４２のセットを５セット以上備えることにより、少なくとも一方のロール体Ｒについては、ロール体Ｒの両端領域以外の領域を芯管Ｓの内部から軸部材４１を基軸として支える位置にも支持機構４２をセットすることができる。そのため、一方のロール体Ｒが幅の大きなロール体Ｒであっても、ロール体Ｒが撓んでしまうことが抑制され、ロール体Ｒの繰り出しや巻き取りがスムーズに行えるようになる。
【００４９】
また、ロール状に巻き重ねたロール紙Ｍに印刷する印刷装置１０において、上記実施形態に係るロール体支持装置として繰出部４０および巻取部８０を備えるため、幅の大きなロール体Ｒであっても、ロール体Ｒが撓んでしまうことなく、ロール体Ｒの繰り出しや巻き取りがスムーズに行われる。また、複数のロール体Ｒを１つの軸部材４１にセットすることができるため、複数のロール体Ｒに対して印刷を行う印刷装置をよりコンパクトに構成することができる。特に、１つのロール体Ｒをその両端領域で支持する支持機構４２ａは、ロール体Ｒの芯管Ｓの内部に挿入される支持機構４２ｂに、フランジ４２２１を付加しただけの構成であり、従来のようにロール体Ｒの両端から外側の方向（Ｘ軸方向）に大きなスペースを必要としないため、印刷装置の幅をより小さく構成することができる。
【００５０】
なお、本発明は、上述した実施形態に限定されず、上述した実施形態に種々の変更や改良などを加えることが可能である。変形例を以下に述べる。ここで、上述した実施形態と同一の構成部位については、同一の符号を使用し、重複する説明は省略している。
【００５１】
（変形例１）
図８は、変形例１に係る支持機構４２ｖａの構成を示す平面図である。支持機構４２ｖａを＋Ｘ側から見た様子を示している。
実施形態１では、図６に示すように、軸部材４１は、ロール体Ｒの芯管Ｓに挿入される丸棒であるとして説明したが、この構成に限定するものではない。軸部材４１は、ロール体Ｒの繰り出しや巻き取りのために回転させる必要がない構成であるため、例えば、図８に示す軸部材４１ｖのように角棒（角柱）であっても良い。
なお、軸部材４１ｖの形状に合わせて、抱き締め機構４２１１を伴う軸外周部材４２１も、本変形例では、図８に示す軸外周部材４２１ｖのような形状としているが、軸部材４１ｖに対する軸外周部材４２１ｖの固定位置が変更可能であれば、つまり、軸外周部材４２１ｖを軸部材４１ｖに対して移動可能に固定できる方法であれば、必ずしも抱き締め機構４２１１を伴う必要は無い。例えば、軸外周部材４２１ｖの摺動を許容したり制限したりする固定ねじを、直接、軸部材４１ｖに対して押圧させる構成であっても良い。あるいは、また、支持機構４２ｖａと軸部材４１ｖとの摺接部の摩擦による応力が充分得られる場合には、特別な固定手段を備えなくとも良い。これは、軸部材４１ｖが角棒（角柱）であることにより、軸外周部材４２１ｖの回動が規制されるため、支持機構４２ｖａと軸部材４１ｖとの摺接部の摩擦係数の低下（静止摩擦係数から動摩擦係数への低下）が抑制されるためである。
【００５２】
また、軸支持部４４についても、軸部材４１ｖの形状に合わせて、図９に示す軸支持部４４ｖのような構成としている。具体的には、軸支持部４４ｖは、軸部材４１を固定支持するＶブロックを含み構成されている。軸支持部４４ｖは、上ブロック４４１ｖと下ブロック４４２ｖとに分けて構成し、軸部材４１ｖを、下ブロック４４２ｖに固定可能な上ブロック４４１ｖと下ブロック４４２ｖとによって上下から挟持し、固定できるように構成している。このような構成において、下ブロック４４２ｖを、軸部材４１ｖを鉛直下方から支持するＶブロックで構成している。
上ブロック４４１ｖを下ブロック４４２ｖに固定する方法は、例えば、図９に示すように、蝶番４４３と留め金具４４４などにより構成する。これは、実施形態１の場合も同様である。
【００５３】
また、ロール体Ｒの芯管Ｓを内部から支持する支持機構４２ｂについても、軸部材４１ｖの形状に合わせて、支持機構４２ｂに変わり支持機構４２ｖａからフランジ４２２１を除いた構成の支持機構４２ｖｂ（図示省略）を用いる。
【００５４】
本変形例によれば、芯管支持部材４２２を軸外周部材４２１ｖに対して軸部材４１ｖの周りに回転可能に支持する回転支持部４２３を備えており、軸部材４１ｖを回転するように構成する必要がないため、軸部材４１ｖを角柱で構成することに対して支障が無い。軸部材４１ｖを角柱で構成することにより、軸部材４１ｖを固定支持するための構成をより簡便にすることができる。
【００５５】
また、軸部材４１ｖが角柱で構成され、軸部材４１ｖを支持する軸支持部４４ｖが、軸部材４１ｖを固定支持するＶブロックを含み構成されている。軸部材４１ｖ（角柱）をＶブロックで鉛直下方から支持する構成とすることにより、ロール体Ｒを含む各部材（軸部材４１ｖ、軸外周部材４２１ｖ、芯管支持部材４２２、および回転支持部４２３）の自重により軸部材４１ｖがＶブロックに固定される（位置決めされる）ため、例えば、Ｖブロック上に軸部材４１ｖ（角柱）を置くだけでも良いなど、軸部材４１ｖを固定支持するための構成をより簡便にすることができる。
【符号の説明】
【００５６】
１０…印刷装置、２０…筐体、３０…筐体支持部、３１…第１脚部、３２…第２脚部、３３…連結軸、３４…延設部、４０…繰出部、４１，４１ｖ…軸部材、４２，４２ａ，４２ｂ，４２ｖａ，４２ｖｂ…支持機構、４３…回転駆動部、４４…軸支持部、４４ｖ…軸支持部、４５…案内軸、５０…媒体支持部、５１…第１媒体支持部、５２…第２媒体支持部、５３…第３媒体支持部、６０…搬送部、６１…駆動ローラー、６２…従動ローラー、７０…印刷部、７１…印刷ヘッド、７２…キャリッジ、７３…ガイド軸、８０…巻取部、８７…ガイドバー、９０…操作部、１００…制御部、４２１…軸外周部材、４２１ｖ…軸外周部材、４２２，４２２ａ，４２２ｂ…芯管支持部材、４２３…回転支持部、４３１…歯車、４３２…モーター、４４１，４４１ｖ…上ブロック、４４２，４４２ｖ…下ブロック、４４３…蝶番、４４４…留め金具、４２１１…抱き締め機構、４２２１…フランジ、４２２２…ラック、４２３１…ボール、４２３２…内輪、４２３３…外輪、Ｍ，Ｍ１，Ｍ２…ロール紙。
【図１】
2019001587.tif 000003
【図２】
2019001587.tif 000004
【図３】
2019001587.tif 000005
【図４】
2019001587.tif 000006
【図５】
2019001587.tif 000007
【図６】
2019001587.tif 000008
【図７】
2019001587.tif 000009
【図８】
2019001587.tif 000010
【図９】
2019001587.tif 000011